【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
一対の基板と、前記一対の基板に挟持された電気光学層と、を備え、
前記一方の基板のうち一方の基板が、第１電極、第２電極、および前記第１電極と前記第２電極との間に配置された絶縁層と、を含み、
前記第２電極が前記絶縁層と前記電気光学層との間に位置してなる電気光学装置を駆動する方法において、
前記第１電極に前記第２電極より高い信号電位が供給される第１期間、及び前記第１電極に前記第２電極より低い信号電位が供給される第２期間により前記電気光学層が交流駆動され、
前記第１期間と前記第２期間とで階調レベルが同じ場合に、
前記第１の期間における前記第１電極と前記第２電極との間の電位差を、前記第２の期間における前記第１の電極と前記第２の電極との間の電位差より大きくすることを特徴とする電気光学装置の駆動方法。
【請求項２】
複数の階調レベルを有し、
前記複数の階調レベルの全域に亘って、階調レベルが前記第１期間と前記第２期間とで等しい場合に、前記第１の期間における前記第１電極と前記第２電極との電位差を、前記第２期間における前記第１電極と前記第２電極との電位差より大きくすることを特徴とする請求項１に記載の電気光学装置の駆動方法。
【請求項３】
前記電気光学装置は、複数の階調レベルを有するノーマリブラック表示であり、前記複数の階調レベルのうち、最大値近傍の階調レベルが、前記第１期間と前記第２期間とで等しい場合に、
前記第１期間における前記第１電極と前記第２電極との電位差を、前記第２の期間における前記第１の電極と前記第２の電極との電位差より大きくすることを特徴とする請求項１に記載の電気光学装置の駆動方法。
【請求項４】
前記電気光学装置は、複数の階調レベルを備えるノーマリブラック表示であり、階調レベルが、前記第１期間と前記第２期間とで等しい場合に、
前記第１期間における前記第１の電極と前記第２の電極との電位差を、前記第２の期間における前記第１電極と前記第２電極との電位差より、前記階調レベルの大きさに応じて、大きくすることを特徴とする請求項１に記載の電気光学装置の駆動方法。
【請求項５】
一対の基板と、前記一対の基板に挟持された電気光学層と、を備え、
前記一方の基板のうち一方の基板は、第１電極、第２電極、および前記第１電極と前記第２電極との間に配置された絶縁層と、を含み、
前記第２電極が前記絶縁層と前記電気光学層との間に位置し、
前記第１電極に前記第２電極より高い信号電位が供給される第１期間、及び前記第１電極に前記第２電極より低い信号電位が供給される第２期間により前記電気光学層を交流駆動する電気光学装置において、
前記第１期間と前記第２期間とで階調レベルが同じ場合に、前記第１期間における前記第１電極と前記第２電極との間の電位差を、前記第２期間における前記第１電極と前記第２電極との間の電位差より大きくする制御部を備えてなることを特徴とする電気光学装置。
【請求項６】
前記第２電極と前記電気光学層との間に配向膜が配置されてなることを特徴とする請求項５に記載の電気光学装置。
【請求項７】
前記第１電極はコモン電位が入力される共通電極であり、前記第２電極は画像信号が入力される画素電極であり、
前記第２電極に接続されるスイッチング素子を更に備え、
前記スイッチング素子と前記第２電極とが前記絶縁層に形成されたコンタクトホールを介して接続されてなることを特徴とする請求項５又は請求項６に記載の電気光学装置。
【請求項８】
前記スイッチング素子が、ＴＦＴ素子であり、
前記絶縁層が、前記ＴＦＴ素子のゲート絶縁膜と、前記ゲート絶縁膜と前記第２電極との間に形成される層間絶縁膜と、を備えてなることを特徴とする請求項７に記載の電気光学装置。
【請求項９】
請求項５乃至請求項８のいずれか一項に記載の電気光学装置を備えてなることを特徴とする電子機器。
【手続補正２】
【補正対象書類名】明細書
【補正対象項目名】０００６
【補正方法】変更
【補正の内容】
【０００６】
本発明は、前記課題を解決するために以下の構成を採用した。
すなわち、は、一対の基板と、前記一対の基板に挟持された電気光学層と、を備え、前記一方の基板のうち一方の基板が、第１電極、第２電極、および前記第１電極と前記第２電極との間に配置された絶縁層と、を含み、前記第２電極が前記絶縁層と前記電気光学層との間に位置してなる電気光学装置を駆動する方法において、前記第１電極に前記第２電極より高い電位が供給される第１期間、及び前記第１電極に前記第２電極より低い電位が供給される第２期間により前記電気光学層が交流駆動され、前記第１期間と前記第２期間とで階調レベルが同じ場合に、前記第１の期間における前記第１電極と前記第２電極との間の電位差を、前記第２の期間における前記第１の電極と前記第２の電極との間の電位差より大きくすることを特徴とする。例えば、第１電極及び第２電極の少なくとも一方に入力される信号電位をシフトさせることで上記構成が実現する。
【手続補正３】
【補正対象書類名】明細書
【補正対象項目名】０００８
【補正方法】変更
【補正の内容】
【０００８】
また、上記電気光学装置の駆動方法においては、複数の階調レベルを有し、前記複数の階調レベルの全域に亘って、階調レベルが前記第１期間と前記第２期間とで等しい場合に、前記第１の期間における前記第１電極と前記第２電極との電位差を、前記第２期間における前記第１電極と前記第２電極との電位差より大きくする。
このようにすれば、階調の全域に亘って、上述したような液晶層の焼きつきを防止することができるので、表示品位が向上し、高性能なものとなる。
【手続補正４】
【補正対象書類名】明細書
【補正対象項目名】０００９
【補正方法】変更
【補正の内容】
【０００９】
また、上記電気光学装置の駆動方法においては、前記電気光学装置は、複数の階調レベルを有するノーマリブラック表示であり、前記複数の階調レベルのうち、最大値近傍の階調レベルが、前記第１期間と前記第２期間とで等しい場合に、前記第１期間における前記第１電極と前記第２電極との電位差を、前記第２の期間における前記第１の電極と前記第２の電極との電位差より大きくしてもよい。
このようにすれば、階調レベルの最大値近傍のみで信号電位をシフトさせているので、信号電位のシフトに起因する消費電力の増加を抑えることができる。また、特に焼きつきを起こし易い最大階調近傍における電荷の蓄積を確実に抑制できる。
【手続補正５】
【補正対象書類名】明細書
【補正対象項目名】００１０
【補正方法】変更
【補正の内容】
【００１０】
また、上記電気光学装置の駆動方法においては、前記電気光学装置は、複数の階調レベルを備えるノーマリブラック表示であり、階調レベルが、前記第１期間と前記第２期間とで等しい場合に、前記第１期間における前記第１の電極と前記第２の電極との電位差を、前記第２の期間における前記第１電極と前記第２電極との電位差より、前記階調レベルの大きさに応じて、大きくすることを特徴とする。
すなわち、階調レベルの増加に伴って、前記信号電位のシフト量を漸次増加させるのが好ましい。
階調レベルに伴って電荷の蓄積量が増加する。そこで、本発明を採用すれば、電荷が蓄積し易くなるにつれて信号電位のシフト量を漸次増加させているので、上述した電荷の蓄積が低減され、焼きつきの発生を防止できる。
【手続補正６】
【補正対象書類名】明細書
【補正対象項目名】００１１
【補正方法】変更
【補正の内容】
【００１１】
本発明の電気光学装置は、一対の基板と、前記一対の基板に挟持された電気光学層と、を備え、前記一方の基板のうち一方の基板は、第１電極、第２電極、および前記第１電極と前記第２電極との間に配置された絶縁層と、を含み、前記第２電極が前記絶縁層と前記電気光学層との間に位置し、前記第１電極に前記第２電極より高い信号電位が供給される第１期間、及び前記第１電極に前記第２電極より低い信号電位が供給される第２期間により前記電気光学層を交流駆動する電気光学装置において、前記第１期間と前記第２期間とで階調レベルが同じ場合に、前記第１期間における前記第１電極と前記第２電極との間の電位差を、前記第２期間における前記第１電極と前記第２電極との間の電位差より大きくする制御部を備えてなることを特徴とする。第２電極と電気光学層との間には配向膜が配置される。また、第１電極はコモン電位が入力される共通電極とすることができ、第２電極は画像信号が入力される画素電極とすることができる。第２電極にはスイッチング素子が接続される。スイッチング素子は絶縁層に形成されたコンタクトホールを介して第２電極に接続される。スイッチング素子が、ＴＦＴ素子の場合には、絶縁層がＴＦＴ素子のゲート絶縁膜、及びゲート絶縁膜と第２電極との間に形成される層間絶縁膜と、を含んでもよい。